(57)【要約】  【課題】  充電される電子機器のバッテリー電圧を自動判別し、自動的に充電電圧を調整して充電を行う。  【解決手段】  電子機器１は、バッテリー８と、第１の演算装置６と、第１のメモリ７と、ＲＦＩＤ／ＩＣタグ９を備え、バッテリー充電器２は、第２の演算装置１２と、第２のメモリ１３と、ScannerのＩＣ１４と、充電電圧を可変する電源系統制御部１７〜２０を備え、電子機器１がバッテリー充電器２にセットされた際に、第２の演算装置１２はＲＦＩＤ／ＩＣタグ９とScannerのＩＣ１４を介してバッテリー８の充電仕様に対応したデータを受け取り、電源系統制御部１７〜２０で充電仕様に対応した電圧を発生し、バッテリー８は送電コイル２２、受電コイル１０を介して充電される。【選択図】  図１
2005237155.tif 000002
【特許請求の範囲】
【請求項１】
商用電源から交流電力を受け、電子機器に搭載された充電可能なバッテリーを充電するバッテリー充電器において、
前記バッテリー充電器は、電圧仕様が異なる複数のバッテリーに対応した充電電圧を発生するように充電電圧を自動的に可変する充電電圧可変手段を備えたことを特徴とするバッテリー充電器。
【請求項２】
前記充電電圧可変手段は、
バッテリー充電電圧仕様に対応した異なる電圧を発生する複数の電源系統制御部と、
前記バッテリー充電器にセットされた前記電子機器を自動判別し、前記複数の電源系統制御部から前記バッテリー充電電圧仕様に対応した電圧を発生する電源系統制御部を選択して動作させる電源制御手段を備えたことを特徴とする請求項１に記載のバッテリー充電器。
【請求項３】
前記充電電圧可変手段は、
バッテリー充電電圧仕様に対応した可変電圧を発生する電源系統制御部と、
前記バッテリー充電器にセットされた前記電子機器を自動判別し、前記電源系統制御部が前記バッテリー充電電圧仕様に対応した電圧を発生させるデータを前記電源系統制御部に出力する電源制御手段を備えたことを特徴とする請求項１に記載のバッテリー充電器。
【請求項４】
充電可能なバッテリーを搭載した電子機器と、
商用電源から交流電力を受け、前記電子機器に搭載された前記充電可能なバッテリーを充電するバッテリー充電器を備えたバッテリー充電システムにおいて、
前記電子機器は、前記充電可能なバッテリーと、マイクロコンピュータを使用した第１の演算装置と、記憶装置である第１のメモリと、ＲＦＩＤ／ＩＣタグを備え、
前記バッテリー充電器は、マイクロコンピュータを使用した第２の演算装置と、記憶装置である第２のメモリと、ScannerのＩＣと、電圧仕様が異なる複数のバッテリーに対応した充電電圧を発生するように充電電圧を可変する充電電圧可変手段を備え、
前記第１のメモリには前記バッテリー充電電圧仕様に対応したデータが予め記憶され、
前記電子機器が前記バッテリー充電器にセットされた際に、
前記第１の演算装置は、前記第１のメモリに記憶された充電電圧仕様に対応したデータを読み出し、前記データを前記ＲＦＩＤ／ＩＣタグと前記ScannerのＩＣを介して前記第２の演算装置に非接触で送信し、
前記データを受信した前記第２の演算装置は、前記データに基づき前記充電電圧可変手段に前記バッテリー充電電圧仕様に対応した電圧を発生するように指令信号を出力することを特徴とするバッテリー充電システム。
【請求項５】
充電可能なバッテリーを搭載した電子機器と、
商用電源から交流電力を受け、前記電子機器に搭載された前記充電可能なバッテリーを充電するバッテリー充電器を備えたバッテリー充電システムにおいて、
前記電子機器は、前記充電可能なバッテリーと、マイクロコンピュータを使用した第１の演算装置と、記憶装置である第１のメモリと、ＲＦＩＤ／ＩＣタグを備え、
前記バッテリー充電器は、マイクロコンピュータを使用した第２の演算装置と、記憶装置である第２のメモリと、ScannerのＩＣと、電圧仕様が異なる複数のバッテリーに対応した充電電圧を発生するように充電電圧を可変する充電電圧可変手段を備え、
前記第１のメモリには前記電子機器の型式に対応するデータが予め記憶され、
前記第２のメモリには前記電子機器の型式に対応するデータと前記バッテリー充電電圧仕様が対応して予め記憶され、
前記電子機器が前記バッテリー充電器にセットされた際に、
前記第１の演算装置は、前記第１のメモリに記憶された型式に対応するデータを読み出し、前記データを前記ＲＦＩＤ／ＩＣタグと前記ScannerのＩＣを介して前記第２の演算装置に非接触で送信し、
前記データを受信した前記第２の演算装置は、前記データに基づき前記第２のメモリから前記型式に対応する充電電圧仕様を読み出し、
前記第２の演算装置は、前記読み出された充電電圧仕様に基づき前記充電電圧可変手段に前記バッテリー充電電圧仕様に対応した電圧を発生するように指令信号を出力することを特徴とするバッテリー充電システム。
【請求項６】
商用電源から交流電力を受け、電子機器に搭載された充電可能なバッテリーを充電するバッテリー充電システムにおいて、
前記充電可能なバッテリー、マイクロコンピュータを使用した第１の演算装置、記憶装置である第１のメモリ及びＲＦＩＤ／ＩＣタグを搭載した電子機器と、
マイクロコンピュータを使用した第２の演算装置、記憶装置である第２のメモリ、ScannerのＩＣ及び充電電圧を可変する充電電圧可変手段を搭載したバッテリー充電器を備え、
前記第１のメモリには前記電子機器の型式に対応するデータ、又は前記バッテリーの充電仕様として少なくとも充電電圧仕様が予め記憶され、
前記第１の演算装置は、前記電子機器の型式に対応するデータ、又は前記充電仕様を前記第１のメモリから読み出し、前記ＲＦＩＤ／ＩＣタグと前記ScannerのＩＣを介して非接触で前記第２の演算装置に送信して前記第２のメモリに記憶し、前記第２の演算装置は前記電子機器の型式に対応するデータ、又は前記充電仕様に基づいて前記充電電圧可変手段を制御して、前記充電電圧仕様に対応した充電電圧を発生させることを特徴とするバッテリー充電システム。
【請求項７】
前記バッテリー充電器は更に送電コイルを備え、
前記電子機器は更に前記送電コイルに電磁結合した受電コイルを備え、
前記充電仕様に対応した充電エネルギーを前記送電コイルから前記受電コイルに非接触で伝送し、前記電子機器は前記受電コイルに伝送された充電エネルギーにより前記バッテリーを充電することを特徴とする請求項６に記載のバッテリー充電システム。
【請求項８】
前記バッテリー充電器は更に前記充電仕様に対応した充電電圧を出力する接触子を備え、
前記電子機器は更に前記充電電圧を受電する接触子を備え、
前記充電電圧を前記接触子を介して前記バッテリー充電器から前記電子機器へ伝送し、前記電子機器は前記接触子を介して伝送された充電電圧により前記バッテリーを充電することを特徴とする請求項６に記載のバッテリー充電システム。
【請求項９】
前記電子機器は、前記充電仕様に対応するデータを通信網を介してダウンロードして前記第１のメモリに記憶させることを特徴とする請求項６乃至請求項８に記載のバッテリー充電システム。
【請求項１０】
前記電子機器が前記バッテリー充電器にセットされ充電が開始されてからの時間を計測する計測手段を有し、該計測手段により計測された時間が前記第１または第２のメモリに前記充電仕様として記憶された前記バッテリーの標準的な充電時間を経過しても充電完了しないときアラーム信号を出力することを特徴とする請求項６乃至請求項９に記載のバッテリー充電システム。
【請求項１１】
前記アラーム信号により、充電を停止し、ＬＥＤによりアラーム表示またはスピーカにより音声報知することを特徴とする請求項１０に記載のバッテリー充電システム。
【請求項１２】
前記バッテリーの充電電圧を検知し、該検知された充電電圧値を所定の値と比較し、前記充電電圧が所定の値になるようにフィードバック制御することを特徴とする請求項６乃至１１に記載のバッテリー充電システム。
【請求項１３】
前記バッテリー充電器は、２個の前記送電コイルをコイル巻回中心軸がほぼ一致するように並置して備え、前記電子機器を前記バッテリー充電器にセットした際、前記受電コイルのコイル巻回中心軸が前記送電コイルのコイル巻回中心軸とほぼ一致し且つ前記２個の送電コイルの間に挟まれるように、前記受電コイルを前記電子機器に配置したことを特徴とする請求項７に記載のバッテリー充電システム。
【請求項１４】
商用電源から交流電力を受け、電子機器に搭載された充電可能なバッテリーを充電するバッテリー充電システムにおいて、
前記充電可能なバッテリー、マイクロコンピュータを使用した第１の演算装置、記憶装置である第１のメモリ及びＲＦＩＤ／ＩＣタグを搭載したバッテリーユニットと、
マイクロコンピュータを使用した第２の演算装置、記憶装置である第２のメモリ、ScannerのＩＣ及び充電電圧を可変する充電電圧可変手段を搭載したバッテリー充電器を備え、
前記第１の演算装置は、あらかじめ記憶された前記バッテリーの充電仕様を前記第１のメモリから読み出し、前記ＲＦＩＤ／ＩＣタグと前記ScannerのＩＣを介して非接触で前記第２の演算装置に送信し、前記第２の演算装置は前記充電電圧可変手段を制御して、前記充電仕様に対応した充電電圧を発生させることを特徴とするバッテリー充電システム。
【請求項１５】
前記バッテリー充電器は更に送電コイルを備え、
前記バッテリーユニットは更に前記送電コイルに電磁結合した受電コイルを備え、
前記充電仕様に対応した充電エネルギーを前記送電コイルから前記受電コイルに非接触で伝送し、前記バッテリーユニットは前記受電コイルに伝送された充電エネルギーにより前記バッテリーを充電することを特徴とする請求項１４に記載のバッテリー充電システム。
【請求項１６】
商用電源から交流電力を受け、電子機器に搭載された充電可能なバッテリーを充電するバッテリー充電システムにおいて、
前記充電可能なバッテリーとバーコードを備えた電子機器と、
マイクロコンピュータを使用した演算装置、記憶装置であるメモリ、バーコードリーダー、及び充電電圧を可変する充電電圧可変手段を搭載したバッテリー充電器を備え、
前記バーコードには前記電子機器の型式に対応するデータ、又は前記バッテリーの充電仕様として少なくとも充電電圧仕様が予め記録され、
前記演算装置は、前記バーコードリーダーにより前記電子機器の型式に対応するデータ、又は前記充電仕様を前記バーコードから読み出し、前記演算装置は前記バーコードから読み出した情報に基づき前記充電電圧可変手段を制御して、前記充電電圧仕様に対応した充電電圧を発生させることを特徴とするバッテリー充電システム。
【請求項１７】
前記バッテリー充電器は更に送電コイルを備え、
前記電子機器は更に前記送電コイルに電磁結合した受電コイルを備え、
前記充電仕様に対応した充電エネルギーを前記送電コイルから前記受電コイルに非接触で伝送し、前記電子機器は前記受電コイルに伝送された充電エネルギーにより前記バッテリーを充電することを特徴とする請求項１６に記載のバッテリー充電システム。
【請求項１８】
前記バッテリー充電器は更に前記充電仕様に対応した充電電圧を出力する接触子を備え、
前記電子機器は更に前記充電電圧を受電する接触子を備え、
前記バッテリー充電器は前記充電電圧を前記接触子を介して伝送し、前記電子機器は前記接触子を介して伝送された前記充電電圧により前記バッテリーを充電することを特徴とする請求項１６に記載のバッテリー充電システム。
【請求項１９】
前記電子機器が前記バッテリー充電器にセットされ充電が開始されてからの時間を計測する計測手段を有し、該計測手段により計測された時間が、前記電子機器の型式に対応して又は前記充電仕様として予め記憶された前記バッテリーの標準的な充電時間を経過しても充電完了しないときアラーム信号を出力することを特徴とする請求項１６乃至請求項１８に記載のバッテリー充電システム。
【請求項２０】
前記アラーム信号により、充電を停止し、ＬＥＤによりアラーム表示またはスピーカにより音声報知することを特徴とする請求項１９に記載のバッテリー充電システム。
【請求項２１】
前記バッテリー充電器は、２個の前記送電コイルをコイル巻回中心軸がほぼ一致するように並置して備え、前記電子機器を前記バッテリー充電器にセットした際、前記受電コイルのコイル巻回中心軸が前記送電コイルのコイル巻回中心軸とほぼ一致し且つ前記２個の送電コイルの間に挟まれるように、前記受電コイルを前記電子機器に配置したことを特徴とする請求項１７に記載のバッテリー充電システム。
【請求項２２】
前記電子機器を前記バッテリー充電器にセットする位置を認識できる位置決め手段を有することを特徴とする請求項７、請求項１３、請求項１５、請求項１７、請求項２１のいずれかに記載のバッテリー充電システム。
【請求項２３】
前記位置決め手段は、前記電子機器を前記バッテリー充電器にセットする際に前記送電コイルと受電コイルの中心が合うように対向させるための位置決め手段であることを特徴とする請求項２２記載のバッテリー充電システム。
【請求項２４】
前記電子機器を前記バッテリー充電器にセットし、バッテリーの充電が開始されたとき、前記受電コイルの出力から得られる充電電圧が前記セットされた電子機器に搭載されたバッテリーの前記充電仕様の充電電圧に対応した基準電圧に満たない場合は、アラーム信号を出力することを特徴とする請求項７、請求項１３、請求項１５、請求項１７、請求項２１、請求項２２、請求項２３のいずれかに記載のバッテリー充電システム。
【請求項２５】
前記アラーム信号により、充電を停止し、ＬＥＤによりアラーム表示またはスピーカにより音声報知することを特徴とする請求項２４記載のバッテリー充電システム。
【請求項２６】
充電可能なバッテリーと、マイクロコンピュータを使用した第１の演算装置と、前記バッテリーの充電仕様を記憶した記憶装置である第１のメモリと、前記第１の演算装置の制御により外部のバッテリー充電器に備わるScannerのＩＣと通信可能なＲＦＩＤ／ＩＣタグを備えたことを特徴とするバッテリーユニット。
【請求項２７】
前記バッテリーユニットは、更に、前記バッテリー充電器に備わる送電コイルと電磁結合した受電コイルを備え、
前記充電仕様に対応した充電エネルギーを前記送電コイルから前記受電コイルに非接触で受電し、該受電した充電エネルギーにより前記バッテリーを充電するように構成されたことを特徴とする請求項２６記載のバッテリーユニット。
【請求項２８】
充電可能なバッテリーを搭載した電子機器と、
商用電源から交流電力を受け、前記電子機器に搭載された前記充電可能なバッテリーを充電するバッテリー充電器を備えたバッテリー充電システムにおいて、
前記電子機器は、前記充電可能なバッテリーと、マイクロコンピュータを使用した第１の演算装置と、記憶装置である第１のメモリと、第１の電気的な信号送／受信手段を備え、
前記バッテリー充電器は、マイクロコンピュータを使用した第２の演算装置と、記憶装置である第２のメモリと、第２の電気的な信号送／受信手段と、電圧仕様が異なる複数のバッテリーに対応した充電電圧を発生するように充電電圧を可変する充電電圧可変手段を備え、
前記第１のメモリには前記バッテリー充電電圧仕様に対応したデータが予め記憶され、
前記電子機器が前記バッテリー充電器にセットされた際に、
前記第１の演算装置は、前記第１のメモリに記憶された充電電圧仕様に対応したデータを読み出し、前記データを前記第１の電気的な信号送／受信手段と前記第２の電気的な信号送／受信手段を介して前記第２の演算装置に非接触で送信し、
前記データを受信した前記第２の演算装置は、前記データに基づき前記充電電圧可変手段に前記バッテリー充電電圧仕様に対応した電圧を発生するように指令信号を出力することを特徴とするバッテリー充電システム。
【請求項２９】
充電可能なバッテリーを搭載した電子機器と、
商用電源から交流電力を受け、前記電子機器に搭載された前記充電可能なバッテリーを充電するバッテリー充電器を備えたバッテリー充電システムにおいて、
前記電子機器は、前記充電可能なバッテリーと、マイクロコンピュータを使用した第１の演算装置と、記憶装置である第１のメモリと、第１の電磁的な信号送／受信手段を備え、
前記バッテリー充電器は、マイクロコンピュータを使用した第２の演算装置と、記憶装置である第２のメモリと、第２の電磁的な信号送／受信手段と、電圧仕様が異なる複数のバッテリーに対応した充電電圧を発生するように充電電圧を可変する充電電圧可変手段を備え、
前記第１のメモリには前記バッテリー充電電圧仕様に対応したデータが予め記憶され、
前記電子機器が前記バッテリー充電器にセットされた際に、
前記第１の演算装置は、前記第１のメモリに記憶された充電電圧仕様に対応したデータを読み出し、前記データを前記第１の電磁的な信号送／受信手段と前記第２の電磁的な信号送／受信手段を介して前記第２の演算装置に非接触で送信し、
前記データを受信した前記第２の演算装置は、前記データに基づき前記充電電圧可変手段に前記バッテリー充電電圧仕様に対応した電圧を発生するように指令信号を出力することを特徴とするバッテリー充電システム。
【請求項３０】
充電可能なバッテリーを搭載した電子機器と、
商用電源から交流電力を受け、前記電子機器に搭載された前記充電可能なバッテリーを充電するバッテリー充電器を備えたバッテリー充電システムにおいて、
前記電子機器は、前記充電可能なバッテリーと、マイクロコンピュータを使用した第１の演算装置と、記憶装置である第１のメモリと、第１の光学的な信号送／受信手段を備え、
前記バッテリー充電器は、マイクロコンピュータを使用した第２の演算装置と、記憶装置である第２のメモリと、第２の光学的な信号送／受信手段と、電圧仕様が異なる複数のバッテリーに対応した充電電圧を発生するように充電電圧を可変する充電電圧可変手段を備え、
前記第１のメモリには前記バッテリー充電電圧仕様に対応したデータが予め記憶され、
前記電子機器が前記バッテリー充電器にセットされた際に、
前記第１の演算装置は、前記第１のメモリに記憶された充電電圧仕様に対応したデータを読み出し、前記データを前記第１の光学的な信号送／受信手段と前記第２の光学的な信号送／受信手段を介して前記第２の演算装置に非接触で送信し、
前記データを受信した前記第２の演算装置は、前記データに基づき前記充電電圧可変手段に前記バッテリー充電電圧仕様に対応した電圧を発生するように指令信号を出力することを特徴とするバッテリー充電システム。
【発明の詳細な説明】
【技術分野】
【０００１】
本発明は、電子機器などに搭載されたバッテリーの充電器に関し、特に電子機器などにおいて使用される電源バッテリーの電圧仕様が異なった機種であっても、自動的に充電電圧が調整されるバッテリー充電器、バッテリー充電システム、及びバッテリーユニットに関する。
【背景技術】
【０００２】
従来、携帯電話機、ＰＤＡ（Personal Digital Assistance）、Ｎｏｔｅ ＰＣなどの電子機器に搭載されたバッテリーの充電器は、その電子機器のバッテリー電圧仕様にあった専用のバッテリー充電器を使用して充電をしていた。
【０００３】
特開２００３−３７８６１号公報に、従来の携帯電話機のバッテリーが搭載された例が記載されている。この従来技術の携帯電話機用バッテリーは、上記公報の図１（ａ）に示されたように、携帯電話機の内部に搭載され、裏面からバッテリー部カバーで覆うようになっている。この種の携帯電話機のバッテリーの電圧は、携帯電話機の機種によって異なる場合が多く存在している。
【０００４】
上記携帯電話機のバッテリーは、通常、充電可能なバッテリーが搭載されており、携帯電話機を使用することにより充電量が消耗するので、充電量が消耗した場合には充電量を回復するために充電する必要がある。このために、商用電源を受け、バッテリーの電圧仕様にあった直流電圧を出力するアダプタで充電することになる。携帯電話機には、一般に、その下部にバッテリー充電用のコネクタとバッテリー充電用接触子が備わっており、充電する際には上記アダプタの直流出力を上記コネクタで携帯電話機に直接接続して充電するか、あるいは上記アダプタの直流出力を充電スタンドで受け、この充電スタンドに設けられた充電用接触子を携帯電話機のバッテリー充電用接触子に接触させて充電を行っていた。
この従来のバッテリー充電システムでは、携帯電話機を購入した際に、その携帯電話機にあったアダプタが専用品として添付されてくる。
【０００５】
また、特開２００１−３０７０３２号公報には、携帯端末の電池充電システムが記載されている。この電池充電システムは、外部の充電用電源供給装置により、携帯端末の電池を電磁結合により非接触で充電するように構成された充電システムとなっている。この従来技術に記載された充電システムにおいても、充電電圧は、その携帯端末のバッテリー電圧仕様にあった充電電圧となる。
【０００６】
また、固定電話機の子機の充電方式は、接触型、接触型の両方の充電方式があるが、子機を使用していないときは、充電スタンドにセットすることにより充電が行われるようになっている。この場合も、充電電圧などの充電仕様は、その機種に特化されたものとなっている。
【特許文献１】特開２００１−３０７０３２号公報
【特許文献２】特開２００３−３７８６１号公報
【発明の開示】
【発明が解決しようとする課題】
【０００７】
上記のように、携帯電話機、ＰＤＡ、Ｎｏｔｅ ＰＣなどの電子機器のバッテリー電圧仕様は、その電子機器に対応したものとなっているが、近年の電子機器の発展は目覚しく、特に携帯電話機、ＰＤＡ、Ｎｏｔｅ ＰＣなどでは新製品が次々と発売されている。これらの開発された製品に搭載された電源バッテリーの電圧は１Ｖ〜１０Ｖ程度のものが多いが、この電圧仕様は必ずしも同じとは限らず、電圧仕様の様々な物が混在し、その数も増えているのが現状である。したがって、これに対応した充電器も、多少兼用できるものはあるとしても、充電電圧１Ｖ〜１０Ｖ程度、充電電流１Ａ弱程度の範囲でかなりの数の種類が存在している。そして、充電の電圧、電流が互いに異なっているため、お互いに利用できないという問題があった。また電圧、電流仕様の異なる製品が開発されるたびに、これに対応する電圧、電流仕様の充電器を作らなければならないという問題があった。また、兼用できるものがあったとしても、仕様が合っているかどうかを確認することが困難であったり、面倒であったりして、結局は兼用することができないものとなっている。
【０００８】
本願発明は、これらの課題を解決し、複数の電圧仕様に自動的に対応して充電を行うことができることを目的とする。
また、充電される電子機器のバッテリー電圧仕様を自動判別し、自動的に充電電圧を調整して充電を行うようにすることを目的とする。
また、本願発明は、接触型に限らず、非接触型充電にも対応できる構成とすることを目的とする。
【課題を解決するための手段】
【０００９】
この発明の請求項１に記載の発明の要旨は、商用電源から交流電力を受け、電子機器に搭載された充電可能なバッテリーを充電するバッテリー充電器において、前記バッテリー充電器は、電圧仕様が異なる複数のバッテリーに対応した充電電圧を発生するように充電電圧を自動的に可変する充電電圧可変手段を備えたことを特徴とするバッテリー充電器に存する。
また、この発明の請求項２に記載の発明の要旨は、前記充電電圧可変手段は、バッテリー充電電圧仕様に対応した異なる電圧を発生する複数の電源系統制御部と、前記バッテリー充電器にセットされた前記電子機器を自動判別し、前記複数の電源系統制御部から前記バッテリー充電電圧仕様に対応した電圧を発生する電源系統制御部を選択して動作させる電源制御手段を備えたことを特徴とする請求項１に記載のバッテリー充電器に存する。
また、この発明の請求項３に記載の発明の要旨は、前記充電電圧可変手段は、バッテリー充電電圧仕様に対応した可変電圧を発生する電源系統制御部と、前記バッテリー充電器にセットされた前記電子機器を自動判別し、前記電源系統制御部が前記バッテリー充電電圧仕様に対応した電圧を発生させるデータを前記電源系統制御部に出力する電源制御手段を備えたことを特徴とする請求項１に記載のバッテリー充電器に存する。
また、この発明の請求項４に記載の発明の要旨は、充電可能なバッテリーを搭載した電子機器と、商用電源から交流電力を受け、前記電子機器に搭載された前記充電可能なバッテリーを充電するバッテリー充電器を備えたバッテリー充電システムにおいて、前記電子機器は、前記充電可能なバッテリーと、マイクロコンピュータを使用した第１の演算装置と、記憶装置である第１のメモリと、ＲＦＩＤ／ＩＣタグを備え、前記バッテリー充電器は、マイクロコンピュータを使用した第２の演算装置と、記憶装置である第２のメモリと、ScannerのＩＣと、電圧仕様が異なる複数のバッテリーに対応した充電電圧を発生するように充電電圧を可変する充電電圧可変手段を備え、前記第１のメモリには前記バッテリー充電電圧仕様に対応したデータが予め記憶され、前記電子機器が前記バッテリー充電器にセットされた際に、前記第１の演算装置は、前記第１のメモリに記憶された充電電圧仕様に対応したデータを読み出し、前記データを前記ＲＦＩＤ／ＩＣタグと前記ScannerのＩＣを介して前記第２の演算装置に非接触で送信し、前記データを受信した前記第２の演算装置は、前記データに基づき前記充電電圧可変手段に前記バッテリー充電電圧仕様に対応した電圧を発生するように指令信号を出力することを特徴とするバッテリー充電システムに存する。
また、この発明の請求項５に記載の発明の要旨は、充電可能なバッテリーを搭載した電子機器と、商用電源から交流電力を受け、前記電子機器に搭載された前記充電可能なバッテリーを充電するバッテリー充電器を備えたバッテリー充電システムにおいて、前記電子機器は、前記充電可能なバッテリーと、マイクロコンピュータを使用した第１の演算装置と、記憶装置である第１のメモリと、ＲＦＩＤ／ＩＣタグを備え、前記バッテリー充電器は、マイクロコンピュータを使用した第２の演算装置と、記憶装置である第２のメモリと、ScannerのＩＣと、電圧仕様が異なる複数のバッテリーに対応した充電電圧を発生するように充電電圧を可変する充電電圧可変手段を備え、前記第１のメモリには前記電子機器の型式に対応するデータが予め記憶され、前記第２のメモリには前記電子機器の型式に対応するデータと前記バッテリー充電電圧仕様が対応して予め記憶され、前記電子機器が前記バッテリー充電器にセットされた際に、前記第１の演算装置は、前記第１のメモリに記憶された型式に対応するデータを読み出し、前記データを前記ＲＦＩＤ／ＩＣタグと前記ScannerのＩＣを介して前記第２の演算装置に非接触で送信し、前記データを受信した前記第２の演算装置は、前記データに基づき前記第２のメモリから前記型式に対応する充電電圧仕様を読み出し、前記第２の演算装置は、前記読み出された充電電圧仕様に基づき前記充電電圧可変手段に前記バッテリー充電電圧仕様に対応した電圧を発生するように指令信号を出力することを特徴とするバッテリー充電システムに存する。
また、この発明の請求項６に記載の発明の要旨は、商用電源から交流電力を受け、電子機器に搭載された充電可能なバッテリーを充電するバッテリー充電システムにおいて、前記充電可能なバッテリー、マイクロコンピュータを使用した第１の演算装置、記憶装置である第１のメモリ及びＲＦＩＤ／ＩＣタグを搭載した電子機器と、マイクロコンピュータを使用した第２の演算装置、記憶装置である第２のメモリ、ScannerのＩＣ及び充電電圧を可変する充電電圧可変手段を搭載したバッテリー充電器を備え、前記第１のメモリには前記電子機器の型式に対応するデータ、又は前記バッテリーの充電仕様として少なくとも充電電圧仕様が予め記憶され、前記第１の演算装置は、前記電子機器の型式に対応するデータ、又は前記充電仕様を前記第１のメモリから読み出し、前記ＲＦＩＤ／ＩＣタグと前記ScannerのＩＣを介して非接触で前記第２の演算装置に送信して前記第２のメモリに記憶し、前記第２の演算装置は前記電子機器の型式に対応するデータ、又は前記充電仕様に基づいて前記充電電圧可変手段を制御して、前記充電電圧仕様に対応した充電電圧を発生させることを特徴とするバッテリー充電システムに存する。
また、この発明の請求項７に記載の発明の要旨は、前記バッテリー充電器は更に送電コイルを備え、前記電子機器は更に前記送電コイルに電磁結合した受電コイルを備え、前記充電仕様に対応した充電エネルギーを前記送電コイルから前記受電コイルに非接触で伝送し、前記電子機器は前記受電コイルに伝送された充電エネルギーにより前記バッテリーを充電することを特徴とする請求項６に記載のバッテリー充電システムに存する。
また、この発明の請求項８に記載の発明の要旨は、前記バッテリー充電器は更に前記充電仕様に対応した充電電圧を出力する接触子を備え、前記電子機器は更に前記充電電圧を受電する接触子を備え、前記充電電圧を前記接触子を介して前記バッテリー充電器から前記電子機器へ伝送し、前記電子機器は前記接触子を介して伝送された充電電圧により前記バッテリーを充電することを特徴とする請求項６に記載のバッテリー充電システムに存する。
また、この発明の請求項９に記載の発明の要旨は、前記電子機器は、前記充電仕様に対応するデータを通信網を介してダウンロードして前記第１のメモリに記憶させることを特徴とする請求項６乃至請求項８に記載のバッテリー充電システムに存する。
また、この発明の請求項１０に記載の発明の要旨は、前記電子機器が前記バッテリー充電器にセットされ充電が開始されてからの時間を計測する計測手段を有し、該計測手段により計測された時間が前記第１または第２のメモリに前記充電仕様として記憶された前記バッテリーの標準的な充電時間を経過しても充電完了しないときアラーム信号を出力することを特徴とする請求項６乃至請求項９に記載のバッテリー充電システムに存する。
また、この発明の請求項１１に記載の発明の要旨は、前記アラーム信号により、充電を停止し、ＬＥＤによりアラーム表示またはスピーカにより音声報知することを特徴とする請求項１０に記載のバッテリー充電システムに存する。
また、この発明の請求項１２に記載の発明の要旨は、前記バッテリーの充電電圧を検知し、該検知された充電電圧値を所定の値と比較し、前記充電電圧が所定の値になるようにフィードバック制御することを特徴とする請求項６乃至１１に記載のバッテリー充電システムに存する。
また、この発明の請求項１３に記載の発明の要旨は、前記バッテリー充電器は、２個の前記送電コイルをコイル巻回中心軸がほぼ一致するように並置して備え、前記電子機器を前記バッテリー充電器にセットした際、前記受電コイルのコイル巻回中心軸が前記送電コイルのコイル巻回中心軸とほぼ一致し且つ前記２個の送電コイルの間に挟まれるように、前記受電コイルを前記電子機器に配置したことを特徴とする請求項７に記載のバッテリー充電システムに存する。
また、この発明の請求項１４に記載の発明の要旨は、商用電源から交流電力を受け、電子機器に搭載された充電可能なバッテリーを充電するバッテリー充電システムにおいて、前記充電可能なバッテリー、マイクロコンピュータを使用した第１の演算装置、記憶装置である第１のメモリ及びＲＦＩＤ／ＩＣタグを搭載したバッテリーユニットと、マイクロコンピュータを使用した第２の演算装置、記憶装置である第２のメモリ、ScannerのＩＣ及び充電電圧を可変する充電電圧可変手段を搭載したバッテリー充電器を備え、前記第１の演算装置は、あらかじめ記憶された前記バッテリーの充電仕様を前記第１のメモリから読み出し、前記ＲＦＩＤ／ＩＣタグと前記ScannerのＩＣを介して非接触で前記第２の演算装置に送信し、前記第２の演算装置は前記充電電圧可変手段を制御して、前記充電仕様に対応した充電電圧を発生させることを特徴とするバッテリー充電システムに存する。
また、この発明の請求項１５に記載の発明の要旨は、前記バッテリー充電器は更に送電コイルを備え、前記バッテリーユニットは更に前記送電コイルに電磁結合した受電コイルを備え、前記充電仕様に対応した充電エネルギーを前記送電コイルから前記受電コイルに非接触で伝送し、前記バッテリーユニットは前記受電コイルに伝送された充電エネルギーにより前記バッテリーを充電することを特徴とする請求項１４に記載のバッテリー充電システムに存する。
また、この発明の請求項１６に記載の発明の要旨は、商用電源から交流電力を受け、電子機器に搭載された充電可能なバッテリーを充電するバッテリー充電システムにおいて、前記充電可能なバッテリーとバーコードを備えた電子機器と、マイクロコンピュータを使用した演算装置、記憶装置であるメモリ、バーコードリーダー、及び充電電圧を可変する充電電圧可変手段を搭載したバッテリー充電器を備え、前記バーコードには前記電子機器の型式に対応するデータ、又は前記バッテリーの充電仕様として少なくとも充電電圧仕様が予め記録され、前記演算装置は、前記バーコードリーダーにより前記電子機器の型式に対応するデータ、又は前記充電仕様を前記バーコードから読み出し、前記演算装置は前記バーコードから読み出した情報に基づき前記充電電圧可変手段を制御して、前記充電電圧仕様に対応した充電電圧を発生させることを特徴とするバッテリー充電システムに存する。
また、この発明の請求項１７に記載の発明の要旨は、前記バッテリー充電器は更に送電コイルを備え、前記電子機器は更に前記送電コイルに電磁結合した受電コイルを備え、前記充電仕様に対応した充電エネルギーを前記送電コイルから前記受電コイルに非接触で伝送し、前記電子機器は前記受電コイルに伝送された充電エネルギーにより前記バッテリーを充電することを特徴とする請求項１６に記載のバッテリー充電システムに存する。
また、この発明の請求項１８に記載の発明の要旨は、前記バッテリー充電器は更に前記充電仕様に対応した充電電圧を出力する接触子を備え、前記電子機器は更に前記充電電圧を受電する接触子を備え、前記バッテリー充電器は前記充電電圧を前記接触子を介して伝送し、前記電子機器は前記接触子を介して伝送された前記充電電圧により前記バッテリーを充電することを特徴とする請求項１６に記載のバッテリー充電システムに存する。
また、この発明の請求項１９に記載の発明の要旨は、前記電子機器が前記バッテリー充電器にセットされ充電が開始されてからの時間を計測する計測手段を有し、該計測手段により計測された時間が、前記電子機器の型式に対応して又は前記充電仕様として予め記憶された前記バッテリーの標準的な充電時間を経過しても充電完了しないときアラーム信号を出力することを特徴とする請求項１６乃至請求項１８に記載のバッテリー充電システムに存する。
また、この発明の請求項２０に記載の発明の要旨は、前記アラーム信号により、充電を停止し、ＬＥＤによりアラーム表示またはスピーカにより音声報知することを特徴とする請求項１９に記載のバッテリー充電システムに存する。
また、この発明の請求項２１に記載の発明の要旨は、前記バッテリー充電器は、２個の前記送電コイルをコイル巻回中心軸がほぼ一致するように並置して備え、前記電子機器を前記バッテリー充電器にセットした際、前記受電コイルのコイル巻回中心軸が前記送電コイルのコイル巻回中心軸とほぼ一致し且つ前記２個の送電コイルの間に挟まれるように、前記受電コイルを前記電子機器に配置したことを特徴とする請求項１７に記載のバッテリー充電システムに存する。
また、この発明の請求項２２に記載の発明の要旨は、前記電子機器を前記バッテリー充電器にセットする位置を認識できる位置決め手段を有することを特徴とする請求項７、請求項１３、請求項１５、請求項１７、請求項２１のいずれかに記載のバッテリー充電システムに存する。
また、この発明の請求項２３に記載の発明の要旨は、前記位置決め手段は、前記電子機器を前記バッテリー充電器にセットする際に前記送電コイルと受電コイルの中心が合うように対向させるための位置決め手段であることを特徴とする請求項２２記載のバッテリー充電システムに存する。
また、この発明の請求項２４に記載の発明の要旨は、前記電子機器を前記バッテリー充電器にセットし、バッテリーの充電が開始されたとき、前記受電コイルの出力から得られる充電電圧が前記セットされた電子機器に搭載されたバッテリーの前記充電仕様の充電電圧に対応した基準電圧に満たない場合は、アラーム信号を出力することを特徴とする請求項７、請求項１３、請求項１５、請求項１７、請求項２１、請求項２２、請求項２３のいずれかに記載のバッテリー充電システムに存する。
また、この発明の請求項２５に記載の発明の要旨は、前記アラーム信号により、充電を停止し、ＬＥＤによりアラーム表示またはスピーカにより音声報知することを特徴とする請求項２４記載のバッテリー充電システム。
また、この発明の請求項２６に記載の発明の要旨は、充電可能なバッテリーと、マイクロコンピュータを使用した第１の演算装置と、前記バッテリーの充電仕様を記憶した記憶装置である第１のメモリと、前記第１の演算装置の制御により外部のバッテリー充電器に備わるScannerのＩＣと通信可能なＲＦＩＤ／ＩＣタグを備えたことを特徴とするバッテリーユニットに存する。
また、この発明の請求項２７に記載の発明の要旨は、前記バッテリーユニットは、更に、前記バッテリー充電器に備わる送電コイルと電磁結合した受電コイルを備え、前記充電仕様に対応した充電エネルギーを前記送電コイルから前記受電コイルに非接触で受電し、該受電した充電エネルギーにより前記バッテリーを充電するように構成されたことを特徴とする請求項２６記載のバッテリーユニットに存する。
また、この発明の請求項２８に記載の発明の要旨は、充電可能なバッテリーを搭載した電子機器と、商用電源から交流電力を受け、前記電子機器に搭載された前記充電可能なバッテリーを充電するバッテリー充電器を備えたバッテリー充電システムにおいて、前記電子機器は、前記充電可能なバッテリーと、マイクロコンピュータを使用した第１の演算装置と、記憶装置である第１のメモリと、第１の電気的な信号送／受信手段を備え、前記バッテリー充電器は、マイクロコンピュータを使用した第２の演算装置と、記憶装置である第２のメモリと、第２の電気的な信号送／受信手段と、電圧仕様が異なる複数のバッテリーに対応した充電電圧を発生するように充電電圧を可変する充電電圧可変手段を備え、前記第１のメモリには前記バッテリー充電電圧仕様に対応したデータが予め記憶され、前記電子機器が前記バッテリー充電器にセットされた際に、前記第１の演算装置は、前記第１のメモリに記憶された充電電圧仕様に対応したデータを読み出し、前記データを前記第１の電気的な信号送／受信手段と前記第２の電気的な信号送／受信手段を介して前記第２の演算装置に非接触で送信し、前記データを受信した前記第２の演算装置は、前記データに基づき前記充電電圧可変手段に前記バッテリー充電電圧仕様に対応した電圧を発生するように指令信号を出力することを特徴とするバッテリー充電システムに存する。
また、この発明の請求項２９に記載の発明の要旨は、充電可能なバッテリーを搭載した電子機器と、商用電源から交流電力を受け、前記電子機器に搭載された前記充電可能なバッテリーを充電するバッテリー充電器を備えたバッテリー充電システムにおいて、前記電子機器は、前記充電可能なバッテリーと、マイクロコンピュータを使用した第１の演算装置と、記憶装置である第１のメモリと、第１の電磁的な信号送／受信手段を備え、前記バッテリー充電器は、マイクロコンピュータを使用した第２の演算装置と、記憶装置である第２のメモリと、第２の電磁的な信号送／受信手段と、電圧仕様が異なる複数のバッテリーに対応した充電電圧を発生するように充電電圧を可変する充電電圧可変手段を備え、前記第１のメモリには前記バッテリー充電電圧仕様に対応したデータが予め記憶され、前記電子機器が前記バッテリー充電器にセットされた際に、前記第１の演算装置は、前記第１のメモリに記憶された充電電圧仕様に対応したデータを読み出し、前記データを前記第１の電磁的な信号送／受信手段と前記第２の電磁的な信号送／受信手段を介して前記第２の演算装置に非接触で送信し、前記データを受信した前記第２の演算装置は、前記データに基づき前記充電電圧可変手段に前記バッテリー充電電圧仕様に対応した電圧を発生するように指令信号を出力することを特徴とするバッテリー充電システムに存する。
また、この発明の請求項３０に記載の発明の要旨は、充電可能なバッテリーを搭載した電子機器と、商用電源から交流電力を受け、前記電子機器に搭載された前記充電可能なバッテリーを充電するバッテリー充電器を備えたバッテリー充電システムにおいて、前記電子機器は、前記充電可能なバッテリーと、マイクロコンピュータを使用した第１の演算装置と、記憶装置である第１のメモリと、第１の光学的な信号送／受信手段を備え、前記バッテリー充電器は、マイクロコンピュータを使用した第２の演算装置と、記憶装置である第２のメモリと、第２の光学的な信号送／受信手段と、電圧仕様が異なる複数のバッテリーに対応した充電電圧を発生するように充電電圧を可変する充電電圧可変手段を備え、前記第１のメモリには前記バッテリー充電電圧仕様に対応したデータが予め記憶され、前記電子機器が前記バッテリー充電器にセットされた際に、前記第１の演算装置は、前記第１のメモリに記憶された充電電圧仕様に対応したデータを読み出し、前記データを前記第１の光学的な信号送／受信手段と前記第２の光学的な信号送／受信手段を介して前記第２の演算装置に非接触で送信し、前記データを受信した前記第２の演算装置は、前記データに基づき前記充電電圧可変手段に前記バッテリー充電電圧仕様に対応した電圧を発生するように指令信号を出力することを特徴とするバッテリー充電システムに存する。
【発明の効果】
【００１０】
本願発明は、複数の電圧、電流仕様に対応して充電を行うことができる。
また、充電される電子機器のバッテリー仕様を自動判別し、自動的に充電電圧を調整して充電を行うことができる。
また、本願発明は、接触型に限らず、非接触型充電にも対応できる構成とすることができる。
また、本願発明は充電完了を自動判別して充電完了を報知することができるとともに、充電が異常になったときにアラームを出すことができる。
また、本願発明のサンドイッチ構造の充電器により充電効率を高めることができる。
【発明を実施するための最良の形態】
【００１１】
（第１の実施の形態）
図１は、本発明の第１の実施の形態を示したものである。
図１において、１は充電を必要とする電子機器で、例えば携帯電話機、ＰＤＡ、Ｎｏｔｅ ＰＣなどの電子機器を示す。２はバッテリー充電器を示す。３はインターネットなどの通信回線網、４は無線基地局を示す。
【００１２】
５は電子機器１に備わる無線通信のためのアンテナで、無線基地局４と無線通信を行うアンテナである。６はマイクロコンピュータを使用した演算装置、７はマイクロコンピュータの演算のための記憶装置として使用されるメモリで、ＲＡＭ、ＲＯＭ、書き換え可能ＲＯＭであるＥＥＰＲＯＭあるいはフラッシュメモリなどで構成される。８は充電可能なバッテリーであり電子機器１の電源として使用される。９はＲＦＩＤ／ＩＣタグであり、後述のScannerのＩＣ１４と組にして使用される。ここでＲＦＩＤとは「Radio Frequency Identification Systemで、媒体に電波を用いて人や物の認識を行うＩＤシステム」を指している。１０はバッテリー８を充電するためのエネルギーを電磁結合により電送するための受電コイルであり、後述の送電コイル２２と組にして使用される。１１は受電コイル１０からの交流を直流に変換するＡＣ／ＤＣ変換器である。３３はバッテリー８の電圧やＡＣ／ＤＣ変換器１１から得られる充電電圧を入力し、デジタルデータとして演算装置６に出力するアナログ／デジタル変換器（Ａ／Ｄ変換器）である。
【００１３】
１２はバッテリー充電器２に備わるマイクロコンピュータを使用した演算装置、１３はマイクロコンピュータの演算のための記憶装置として使用されるメモリで、ＲＡＭ、ＲＯＭ、書き換え可能ＲＯＭであるＥＥＰＲＯＭあるいはフラッシュメモリなどで構成される。１４はScannerのＩＣであり、前述のＲＦＩＤ／ＩＣタグ９と組にして使用される。ここで、Scannerとは「ＲＦＩＤ／ＩＣタグの読み取り／書き込みする装置」を指している。１５は商用電源の受電線である。１６は電源制御回路である。１７〜２０は電子機器１のバッテリーの仕様に対応して用意された複数の電源系統制御部で、ここでは４回路として示してあるが、これには限定されない。２１は直流を交流に変換するＤＣ／ＡＣ変換器である。２２はＤＣ／ＡＣ変換器２１からの交流電力を受けて、充電エネルギーを電磁結合により前述の受電コイル１０に送電するための送電コイルである。２３はバッテリー充電器２の状態を表示するためのＬＥＤ、２４はバッテリー充電器２の状態を音声で報知するためのスピーカである。２５、２６は電源系統制御部１７〜２０とＤＣ／ＡＣ変換器２１を接続する電線で、２６はコモン線となっている。２７、２８はＡＣ／ＤＣ変換器１１とバッテリー８を接続する電線である。２９はＤＣ／ＡＣ変換器２１と送電コイル２２を接続する電線、３０は受電コイル１０とＡＣ／ＤＣ変換器１１を接続する電線である。
【００１４】
上記のように構成されたバッテリー充電システムの動作を以下説明する。
本バッテリー充電システムはＲＦＩＤ／ＩＣタグ９とScannerのＩＣ１４、および送電コイル２２と受電コイル１０を使用することにより、完全に電子機器１とバッテリー充電器２を電気的に非接触状態で信号および充電エネルギーを伝送するようになっている。また、本バッテリー充電システムは、充電電圧が可変であり、電子機器１のバッテリー仕様により自動的にこの電圧が設定されて充電が開始される。
【００１５】
まず、充電する際には、電子機器１をバッテリー充電器２にセットする。バッテリー充電器２に電子機器１がセットされると、ＲＦＩＤ／ＩＣタグ９とScannerのＩＣ１４が接近するので、バッテリー充電器２に電子機器１がセットされたことを演算装置６、１２が感知する。メモリ７には、バッテリー８の充電仕様である充電電圧の仕様、充電電流の仕様、標準的な充電時間の仕様が予め記憶されており、バッテリー充電器２に電子機器１がセットされたことを感知すると、演算装置６はメモリ７に記憶された電子機器１に内蔵されたバッテリー８の充電電圧の仕様、充電電流の仕様、標準的な充電時間の仕様を読み出す。読み出されたこれら充電仕様は、ＲＦＩＤ／ＩＣタグ９を介してScannerのＩＣ１４に非接触で送信される。演算装置１２は送信されてきた充電仕様により電源制御回路１６に指令を送る。
【００１６】
演算装置１２からの指令により、電源制御回路１６は、充電電圧仕様に合った電圧を、電源系統制御部１７〜２０のいずれかから出力するように選択する。例えば電源系統制御部１７が充電電圧を出力するよう動作しているときは、電源系統制御部１８〜２０はＯＦＦされて無動作状態となる。これにより電源系統制御部１７からの電圧がＤＣ／ＡＣ変換器２１に入力されるようになっている。また、他の仕様の電圧を出力するときは電源系統制御部１８〜２０のいずれか１つが動作するように選択される。
【００１７】
このように、電線２５、２６には電子機器１のバッテリー充電電圧仕様に合った電圧が出力される。この電圧はＤＣ／ＡＣ変換器２１により交流に変換されて送電コイル２２に印加される。この送電コイル２２と受電コイル１０は非接触で対向しており、電磁エネルギーとして受電コイル１０に伝送される。このときの送電コイル２２、受電コイル１０はバッテリー充電電圧仕様に見合った電圧が印加される。受電コイル１０からの交流電圧はＡＣ／ＤＣ変換器１１で直流電圧に変換され、ＡＣ／ＤＣ変換器１１の出力側に接続されたバッテリー８は、このバッテリーの充電仕様に合った適正な電圧、電流で充電される。
【００１８】
ここで、送電コイル２２と受電コイル１０は電磁結合、ＲＦＩＤ／ＩＣタグ９とScannerのＩＣ１４は電磁結合あるいは電波による結合ではあるが、送電コイル２２と受電コイル１０の電磁結合が漏れ磁束を発生し、ＲＦＩＤ／ＩＣタグ９とScannerのＩＣ１４の通信に干渉する可能性がある。そこで送電コイル２２に印加される電圧の周波数は、ＲＦＩＤ／ＩＣタグ９とScannerのＩＣ１４通信周波数と干渉しない周波数帯に設定する。
【００１９】
演算装置６はＡ／Ｄ変換器３３からのデータを入力し、バッテリー８の電圧とＡＣ／ＤＣ変換器１１の充電電圧を監視している。バッテリー８の電圧はＡ／Ｄ変換器３３でデジタル量に変換され演算装置６に読み込まれ、また、ＡＣ／ＤＣ変換器１１からの充電電圧値はＡ／Ｄ変換器３３でデジタル量に変換され、充電電圧のデータとして演算装置６に読み込まれる。これにより、演算装置６はバッテリー８の電圧と充電電圧を検知する。
【００２０】
ここで電子機器１がバッテリー充電器２に正しくセットされていれば、送電コイル２２と受電コイル１０は充電エネルギーを伝送可能な距離で対向し、送電コイル２２と受電コイル１０は充電電圧を所望の電圧として伝送することになるが、電子機器１がずれてセットされた場合には充電エネルギーが効率よく伝送されない。したがって、演算装置６は、ＡＣ／ＤＣ変換器１１からの充電電圧の情報を読み取り、所定の基準値とＡＣ／ＤＣ変換器１１からの充電電圧情報を比較し、電子機器１が正しくセットされたかを監視する。ＡＣ／ＤＣ変換器１１からの充電電圧情報が上記所定の基準値を下回ったときは、電子機器１のセットがずれていると判断してアラーム信号を出力する。このアラーム信号によりＬＥＤ２３が点灯し、スピーカ２４から電子機器１のセットがずれている旨を音声により報知する。
【００２１】
充電する場合に、送電コイル２２と受電コイル１０の相対位置が所定の範囲で対向するようにセットできるように、バッテリー充電器２と電子機器１にコイルの絵柄のマークをバッテリー充電器２や電子機器１の表面に描いておけば送電コイル２２、受電コイル１０の位置が分かり、セットする場合に好都合である。また、セットの位置決めのために、送電コイル２２および受電コイル１０の中心近傍に凸凹の嵌め合い部を設ければ位置決めがしやすいものとなる。これを図７に示した。８４は位置決め凸部、８５は位置決め凹部である。このように中心近傍に凸凹の嵌め合い部を設けるようにして位置決めすれば種々のサイズの電子機器１に対応できる利点がある。
【００２２】
また、充電仕様として、メモリ７にはバッテリー８の標準的な充電時間の仕様が記憶されており、演算装置１２はバッテリー８の充電を開始してからの時間を計測する。また、演算装置６はバッテリー８の充電状態を監視しており、この監視結果はＲＦＩＤ／ＩＣタグ９、ScannerのＩＣ１４を介して演算装置１２に伝送される。したがって演算装置１２は充電開始からのバッテリー８の充電状態を知ることができる。演算装置１２はバッテリー８の充電時間の計測時間が、上記バッテリー８の標準的な充電時間の仕様値を経過しても、充電完了状態にならない場合にはエラー信号を出力する。このエラー出力はＬＥＤ２３を点灯し、スピーカ２４からエラーである旨を音声により報知する。なお充電完了状態は、充電し終わるとバッテリー８の電位が若干低下するのでこれにより判別することができる。
【００２３】
本実施の形態は、電気的に完全に非接触とすることができ、接点などを露出しないので、樹脂モールド成形により覆うことにより信頼性を向上することができる。また、接点による接触がないので、錆や塵埃などにより接触不良を起こすことがない利点がある。
【００２４】
図１には示さなかったが、充電電流を検知し、充電完了状態を検知することもできる。
また、バッテリー充電器２の充電電流の最大定格をメモリ１３に記憶しておき、バッテリー８の充電仕様である充電電流の仕様値と比較することにより、バッテリー充電器２の充電電流の最大定格をバッテリー８の充電電流が上回ったときはアラーム信号を出力し、このアラーム信号により充電動作を停止すれば、電子機器１やバッテリー充電器２の過熱、焼損を防止できる。また、スピーカ２４により充電電流オーバーであることを報知するようにすれば、使用者はこれを認識することができる。
【００２５】
（第２の実施の形態）
上記の第１の実施の形態では、電子機器１のメモリ７に、その電子機器１に搭載されたバッテリーの充電仕様を直接記憶している例を示したが、バッテリー充電仕様をバッテリー充電器２のメモリ１３に複数記憶し、電子機器１の型番を認識できるデータを電子機器１側から得て、バッテリー充電器２側でメモリ１３に記憶された複数の充電仕様から選択してもよい。図２はこの場合のメモリ１３に記憶されたテーブルを使用した第２の実施の形態の例を示したものである。
【００２６】
第２の実施の形態は、第１の実施の形態と回路構成は同様であるが、メモリ７には電子機器１の型番に対応するデータが予め記憶されており、また、メモリ１３には上記型番、およびバッテリー８の充電仕様として充電電圧の仕様、充電電流の仕様、充電時間の仕様が図２のテーブルに示したように記憶されている。
【００２７】
充電を行う場合に電子機器１がバッテリー充電器２にセットされると、これをＲＦＩＤ／ＩＣタグ９とScannerのＩＣ１４が接近したことにより、電子機器１がセットされたことを演算装置６，１２が感知する。メモリ７には予め電子機器１の型番に対応する型番データが記憶されているので、バッテリー充電器２に電子機器１がセットされたことを感知すると、演算装置６はメモリ７に記憶された電子機器１の型番に対応する型番データを読み出す。読み出されたこの型番データは、ＲＦＩＤ／ＩＣタグ９を介してScannerのＩＣ１４に非接触で送信される。演算装置１２は送信されてきた型番データに基づき、メモリ１３のテーブル（図２）を参照して、その型番に対応する充電仕様を読み出す。この充電仕様により電源制御回路１６に指令を送る。演算装置１２からの指令により、電源制御回路１６は、充電仕様に合った電源系統制御部１７〜２０のいずれかを選択的に切り替え接続する。以下の動作は上記第１の実施の形態と同様なので説明を省略する。
【００２８】
（第３の実施の形態）
本発明の第３の実施の形態は、第１、２の実施の形態と回路構成は同様であるが、バッテリー充電仕様の記憶の方法が異なっている。第２の実施の形態では、電子機器１の型番に対応して図２に示した充電仕様のテーブルを参照するようにしたが、電子機器１は新製品が発売されたときに対応する型番が、バッテリー充電器２のメモリ１３にこの新製品の情報が記憶されていないと、充電仕様が不明となってしまう。そこで本実施の形態では、通信回線網３を通してメモリ１３に記憶されたバッテリー充電仕様を常に最新の状態に保つよう更新するものである。
【００２９】
図１に示したように、電子機器１が通信回線網３と無線基地局４を介して電子機器１の製品情報を提供しているサイトと通信し、電子機器１に関するバッテリー充電仕様をダウンロードし、メモリ７に記憶する。更にダウンロードされた電子機器１に関するバッテリー充電仕様はＲＦＩＤ／ＩＣタグ９とScannerのＩＣ１４を介してメモリ１３に記憶される。
【００３０】
この場合、充電するごとにバッテリー充電仕様をダウンロードしてもよいが、既にセットされた電子機器１の型番あるいは対応するバッテリー充電仕様がメモリ７または１３に記憶されている場合には、改めて通信回線網３を通してデータをダウンロードする必要はないので、電子機器１がセットされたときに、既に記憶されている型番のものかどうかをチェックするようにする。そして、記憶されていない型番のものであれば、スピーカ２４から型番がメモリ７あるいは１３に記憶されていないものであることを報知し、通信回線網３を通して、対応するバッテリー充電仕様をダウンロードするよう促す。
【００３１】
また、型番がメモリ７あるいは１３に記憶されていないものである場合、通信回線網３を通してダウンロードしたデータがメモリ７または１３に自動的に記憶されるようにするために、共通のデータ形式を取り決めておけば、通信回線網３からダウンロードしたデータを、自動的に充電仕様の図２に示したテーブルデータとして記憶することができ、更なる自動化が行える。
（第４の実施の形態）
【００３２】
次に、図３に示した本発明の第４の実施の形態を説明する。この第４の実施の形態は、バッテリー充電電圧が、第１〜第３の実施の形態と比べると、接触により行われる点が異なっている。図１と符号が同じものは同じものを示している。図１と異なる部分を重点的に説明する。
【００３３】
図３において、４３〜４６は電気的接点（接触子）を示しており、充電のために電子機器３１をバッテリー充電器４２にセットすると、接点４３と４５、接点４４と４６が接触するようになっている。これにより電線２５と２７、電線２６と２８が接続され、バッテリー８が充電される。充電電圧の設定は上記実施の形態１〜３と同様に行われる。
【００３４】
この第４の実施の形態は、充電電圧が接触式である点を除けば、第１〜第３の実施の形態と同様、バッテリー充電仕様の自動判別、エラー表示などを行うことができる。
（第５の実施の形態）
【００３５】
次に、図４に示した第５の実施の形態を説明する。図４に示したようにこの実施の形態の回路構成は、図１の回路構成に対し、電源系統制御部１７〜２０をアナログ制御の電源系統制御部５０に置き換えたものとなっている。アナログ制御の電源系統制御部５０は充電電圧としてアナログ的に変化する電圧を出力するもので、電源制御回路３６からの充電電圧情報を受け、バッテリー８の充電仕様にあった電圧を出力する。この場合、電源制御回路３６からデジタルデータを受け取り、これに対応する電圧を出力するものである。例えば電源制御回路３６からのデジタルデータが８ビットであれば２５６段階に変化する直流電圧が得られる。このデジタルデータのビット数は所望の電圧精度に合うように設定すればよい。
【００３６】
第１〜４の実施の形態では、電源系統制御部１７〜２０の切り替えにより充電電圧がステップ的に変化するので、細かな充電電圧の調整には不向きであるが、この第５の実施の形態はほぼ連続的に電圧を変化させることができるので、電圧フィードバック制御を行うのに好都合である。即ち、演算装置６は所定の基準値とＡＣ／ＤＣ変換器１１からの充電電圧情報を比較し、ＡＣ／ＤＣ変換器１１からの充電電圧情報が第１の実施の形態の説明で述べた所定の基準値を下回らないけれども、所望の充電電圧に対して過不足がある場合には、この電圧差情報をＲＦＩＤ／ＩＣタグ９、ScannerのＩＣ１４を介して演算装置１２に伝送する。演算装置１２は所望の充電電圧になるように電源制御回路３６に指令を送る。これにより上記過不足分が０になるようにフィードバック制御が働き充電電圧は所望の電圧に自動調整される。
【００３７】
また、第５の実施の形態は電子機器１とバッテリー充電器５２を電気的に完全に非接触な状態に保つことができる。また、第１〜第４の実施の形態では電源系統制御部１７〜２０を複数備えるもので電圧をその数に対応した種類に限定されてしまうが、本実施の形態によれば、細かな電圧設定を行うことができ、多様なバッテリー仕様にも容易に対応することができる。
【００３８】
（第６の実施の形態）
次に、図５に示した第６の実施の形態について説明する。この実施の形態は第５の実施の形態と同様に、図３の回路構成に対し、電源系統制御部１７〜２０をアナログ制御の電源系統制御部５０に置き換えたものとなっている。図３と符号が同じものは同じものを示している。図３と異なる部分を重点的に説明する。
【００３９】
図５において、４３〜４６は電気的接点を示しており、充電のために電子機器３１をバッテリー充電器５２にセットすると、接点４３と４５、接点４４と４６が接触するようになっている。これにより電線２５と２７、電線２６と２８が接続され、バッテリー８が充電される。充電電圧の設定は上記実施の形態１〜３と同様に行われる。
この第６の実施の形態は、充電電圧が接触式である点を除けば、第１〜第５の実施の形態と同様、バッテリー充電仕様の自動判別、エラー表示などを行うことができる。
【００４０】
（第７の実施の形態）
次に、図６に示した第７の実施の形態について説明する。図６に示した回路構成は、図１に示した回路構成に対しバッテリー充電エネルギーを伝送する送電コイル６４、６５が、受電コイル１０を挟み込むように対向して配置されている（サンドイッチ構造充電器）。送電コイル６４、６５はＤＣ／ＡＣ変換器２１の出力に直列になるように接続されている。しかし、この接続はこれに限定されることなく並列接続であってもよい。
【００４１】
第７の実施の形態の回路動作は、基本的には第１〜第３、第５の実施の形態と同じである。ただし、第７の実施の形態の送電コイル、受電コイルの配置が異なっている。図７は第１〜第３、第５の実施の形態の送電コイルと受電コイルの配置を示している。これに対し図８は第７の実施の形態の、送電コイルと受電コイルの配置を示している。
【００４２】
図７、図８において、１０は受電コイル、２２、６４、６５は送電コイル、８０、８１はフェライトコアを示している。また８２、８３は送電コイル支持部材である。図７の構造に対し図８の構造は、送電コイルと受電コイル間の漏れ磁束を少なくでき、送電効率を高めることができる効果がある。図８において、電子機器１をバッテリー充電器６２の間に挟み込む構造としている。
【００４３】
バッテリー充電器６２の送電コイル６４と６５の間の距離は、図８に示したものは固定であるが、挟み込む電子機器１の寸法に合わせて可変とすることもできる。例えば、弾性部材により、弾力を持って電子機器１を挟み込むようにする。このようにすれば、電子機器１をバッテリー充電器６２の送電コイル６４と６５の間に挿入するときはバッテリー充電器６２の送電コイル６４と６５の間の距離が弾性部材により弾力を持って拡大し、電子機器１をセットした後は電子機器１の表面にバッテリー充電器６２の表面が密着するようにできる。
【００４４】
（第８の実施の形態）
次に、第９図に示した第８の実施の形態について説明する。
図９において、バッテリー充電器７２は図１の回路構成と同じであるが、第８の実施の形態は、バッテリー充電器７２にセットするものが電子機器１ではなく、電子機器１のバッテリー８を電子機器１から取り外して、充電するものである。この場合、バッテリー８単体としてではなくバッテリーユニット７１として図９に示した構成としている。
【００４５】
図９において、７６は演算装置、７７はメモリである。図１の回路において演算装置６、メモリ７は電子機器１の機能を実現する演算を行うが、本実施の形態の演算装置７６、メモリ７７はバッテリー８の充電を行う機能に特化されている。従って、アンテナ５は備えておらず、通信回線網３との通信機能は備えていない。
【００４６】
メモリ７７には第１の実施の形態のように、バッテリーの充電仕様が記憶されているか、または第２の実施の形態のように、バッテリー８の型式、またはこのバッテリー８が搭載される電子機器１の型番が記憶されている。したがって、バッテリーユニット７１がバッテリー充電器７２にセットされると、上記電子機器１がバッテリー充電器にセットされた実施の形態と同様に、自動的にバッテリー８の充電仕様に合った充電電圧をセットし、充電を開始する。この場合には、バッテリーユニット７１として電子機器１から分離することができ、バッテリーユニット７１のバッテリー８を充電しているときに、電子機器１を他のバッテリーあるいは直流アダプタなどにより動作させて使用することができる。
【００４７】
以上、第１乃至第８の実施の形態について述べてきたが、第１〜第３、第５、第７、第８の実施の形態において、ＲＦＩＤ／ＩＣタグ９とScannerのＩＣ１４の送受信に使用される周波数を、充電エネルギー伝送用に送電コイル２２と受電コイル１０で使用される周波数を異なるように設定すれば、お互いの干渉を防ぐことができる。
【００４８】
例えば、ＲＦＩＤ／ＩＣタグ９とScannerのＩＣ１４の送受信に使用される周波数の代表的なものとして、１２５ｋＨｚ、１３．５６ＭＨｚ、２．４５ＧＨｚがあるが、ＲＦＩＤ／ＩＣタグ９とScannerのＩＣ１４の送受信に１３．５６ＭＨｚあるいは２．４５ＧＨｚを使用した場合には、充電エネルギー伝送用に送電コイル２２と受電コイル１０で使用される周波数を１００ｋＨｚ程度に設定することができる。
【００４９】
また、ＲＦＩＤ／ＩＣタグ９とScannerのＩＣ１４の送受信に１２５ｋＨｚを使用した場合には、充電エネルギー伝送用に送電コイル２２と受電コイル１０で使用される周波数を１０〜５０ｋＨｚ程度に設定することができる。２０ｋＨｚ以下は送電コイル２２と受電コイル１０から発生する騒音が可聴範囲に近づくので、騒音周波数が送電コイル２２と受電コイル１０に印加される電圧の２倍の周波数になることを考えると１０ｋＨｚ以上の設定が好ましい。要は、ＲＦＩＤ／ＩＣタグ９とScannerのＩＣ１４の送受信に使用される周波数を、充電エネルギー伝送用に送電コイル２２と受電コイル１０で使用される周波数と干渉しない周波数帯域に分離することにより、お互いの干渉を防ぐことができる。
【００５０】
しかしながら、ＲＦＩＤ／ＩＣタグ９とScannerのＩＣ１４における信号の伝送速度を考えると１３．５６ＭＨｚや２．４５ＧＨｚが有利であり、また、ＲＦＩＤ／ＩＣタグ９とScannerのＩＣ１４のアンテナ、及び送電コイル２２と受電コイル１０の小型化には高周波数帯を選定した方が有利である。ＲＦＩＤ／ＩＣタグ９とScannerのＩＣ１４の動作周波数に１３．５６ＭＨｚや２．４５ＧＨｚの周波数帯を使用すれば、アンテナの巻回数を少なくでき、ダイポールアンテナなどの使用が可能で、電子機器に搭載する際に小型化が図れ、またアンテナ指向性を利用した設計ができるなどの利点がある。また、ＲＦＩＤ／ＩＣタグ９とScannerのＩＣ１４の動作周波数に１３．５６ＭＨｚや２．４５ＧＨｚの周波数帯を使用すれば、送電コイル２２と受電コイル１０の動作周波数に１２５ｋＨｚや４００ｋＨｚを使用することができ送電コイル２２と受電コイル１０の小型化もできる。
【００５１】
また、上記説明では、通信回線網３と通信可能な電子機器１、３１を示したが、これに限定されない。例えば、通信回線網３と通信できない電子機器であって、第３の実施の形態のように新しいデータをダウンロードするような場合であっても、他の通信可能な電子機器でデータをダウンロードして、該他の通信可能な電子機器のＲＦＩＤ／ＩＣタグとバッテリー充電器２のScannerのＩＣ１４を使って、上記取得したデータを入力することなども考えられる。
【００５２】
また、上記実施の形態では、メモリ７に記憶されたバッテリー８の充電仕様を、ＲＦＩＤ／ＩＣタグ９とScannerのＩＣ１４の送受信により演算装置１２に伝送したが、これに限定されない。例えば、図１において、ＲＦＩＤ／ＩＣタグ９に代えて電子機器１側にバッテリー８の充電仕様（図２参照）または電子機器１の型式を記録したバーコード、ScannerのＩＣ１４に代えてバーコードを読み取るバーコードリーダーを使用することもできる。この場合、電子機器１にバッテリー８の充電仕様または電子機器１の型式を記録したバーコードが貼附され、電子機器１がバッテリー充電器２にセットされたとき、このバーコードに対向するように配置されたバーコードリーダーによりバーコードを読み取ることができる。バーコードリーダーとしてはレーザー光などを使用した光学系のバーコードリーダーを使用できる。そしてバッテリー充電器２に電子機器１がセットされると、バーコードリーダーはバーコードを読み取り、バーコードに記録されたバッテリー８の充電仕様が演算装置１２に取り込まれる。
【００５３】
このように演算装置１２は、ＲＦＩＤ／ＩＣタグ９とScannerのＩＣ１４に代えて、バーコードとバーコードリーダーでバッテリー８の充電仕様を取得することができる。そして、上記バーコード及びバーコードリーダーを使用した読み取り手段を、上記第１〜第８の実施の形態のＲＦＩＤ／ＩＣタグ９とScannerのＩＣ１４に置き換えた実施の形態を考えることができ、同様の効果を得ることができる。
【００５４】
また、ＲＦＩＤ／ＩＣタグ９とScannerのＩＣ１４に代わるものとして、バーコードとバーコードリーダーの実施の形態について説明したが、ＲＦＩＤ／ＩＣタグ９とScannerのＩＣ１４に代わるものとしてその他の光学的手段、電磁的手段、電気的手段を使用することが考えられ、それらについての規格も利用することができる。例えば、光学的に情報を伝達する手段として光無線、IrDA（Infrared Data Association）等の光学的信号送／受信手段も利用することができ、また、電磁的に情報を伝達する手段としてIEEE802.11b.g.a、ブルートゥース、IEEE802.15.4/ZigBee、UWB(Ultra Wide Band)等の電磁的信号送／受信手段も利用することができ、また、電気的に情報を伝達する手段としてIEEE 802.3af、Ethernet（登録商標）等を利用した電気的信号送／受信手段も同様に利用することができる。ここに上げた例に限らず、情報伝達手段として本発明に利用できるものは本願発明の実施の形態に含まれることは言うまでもない。
【００５５】
また、本発明は、上記実施の形態には限定されず、発明の主旨を逸脱しない範囲で変形したものも本発明に含まれることは言うまでもない。なお、図１、図３〜図９において、電子機器とバッテリー充電器は接触しないように描かれているが、電子機器をバッテリー充電器にセットした際には互いの外面の一部が接触するものである。
【産業上の利用可能性】
【００５６】
本発明は、携帯電話機、固定電話機の子機、ＰＤＡ、Ｎｏｔｅ ＰＣの充電器に限らず、その他電子機器で電源にバッテリーを使用している電子機器の充電器に利用することができる。
【図面の簡単な説明】
【００５７】
【図１】本発明の第１乃至第３の実施の形態の回路構成を示す図。
【図２】本発明の第２の実施の形態におけるバッテリー充電仕様のデータテーブルを示す図。
【図３】本発明の第４の実施の形態の回路構成を示す図。
【図４】本発明の第５の実施の形態の回路構成を示す図。
【図５】本発明の第６の実施の形態の回路構成を示す図。
【図６】本発明の第７の実施の形態の回路構成を示す図。
【図７】本発明の第１乃至第３、第５、第８の実施の形態における送電コイルと受電コイルの配置図。
【図８】本発明の第７の実施の形態における送電コイルと受電コイルの配置図。
【図９】本発明の第８の実施の形態の回路構成を示す図。
【符号の説明】
【００５８】
１、３１・・・電子機器
２、４２、５２、６２、７２・・・バッテリー充電器
３・・・通信回線網
４・・・無線基地局
５・・・アンテナ
６、１２、７６・・・演算装置
７、１３、７７・・・メモリ
８・・・バッテリー
９・・・ＲＦＩＤ／ＩＣタグ
１０・・・受電コイル
１１・・・ＡＣ／ＤＣ変換器
１４・・・ScannerのＩＣ
１５・・・受電線（商用電源用）
１６、３６・・・電源制御回路
１７〜２０・・・電源系統制御部
２１・・・ＤＣ／ＡＣ変換器
２２、６４、６５・・・送電コイル
２３・・・ＬＥＤ
２４・・・スピーカ
２５〜３０、６７・・・電線
３３・・・Ａ／Ｄ変換器
４３〜４６・・・電気的接点
５０・・・アナログ制御の電源系統制御部
７１・・・バッテリーユニット
８０、８１・・・フェライトコア
８２、８３・・・送電コイル支持部材
８４・・・位置決め凸部
８５・・・位置決め凹部
【図１】
2005237155.tif 000003
【図２】
2005237155.tif 000004
【図３】
2005237155.tif 000005
【図４】
2005237155.tif 000006
【図５】
2005237155.tif 000007
【図６】
2005237155.tif 000008
【図７】
2005237155.tif 000009
【図８】
2005237155.tif 000010
【図９】
2005237155.tif 000011